(57)【要約】【課題】通信経路の障害を検出するに際して、プロセッサやネットワークに高負荷を与えることを防止でき、負荷を抑えたパケット通信サービスを提供できる通信経路の障害検出装置を提供する。【解決手段】通信データを送受信する第１及び第２のノード３０、４０間の複数の通信経路１０、２０のうちの監視対象経路１０、２０の障害を検出する通信経路の障害検出装置３０であって、前記監視対象経路に監視信号１２を送信し、前記監視対象経路を介して受信した前記監視信号に対する応答信号１３に基づいて、前記監視対象経路の障害を検出する障害検出部２と、前記監視対象経路の負荷に応じて、前記監視信号の送信周期を決定する送信周期決定部２とを備えている。【選択図】　図１
2004134966.tif 000002
【特許請求の範囲】
【請求項１】
通信データを送受信する第１及び第２のノード間の複数の通信経路のうちの監視対象経路の障害を検出する通信経路の障害検出装置であって、
前記監視対象経路に監視信号を送信し、前記監視対象経路を介して受信した前記監視信号に対する応答信号に基づいて、前記監視対象経路の障害を検出する障害検出部と、
前記監視対象経路の負荷に応じて、前記監視信号の送信周期を決定する送信周期決定部と
を備えた通信経路の障害検出装置。
【請求項２】
請求項１記載の通信経路の障害検出装置において、
更に、
前記監視対象経路の負荷に応じて、前記応答信号の受信を待つ待ち時間を決定する時間決定部を備えた
通信経路の障害検出装置。
【請求項３】
請求項２記載の通信経路の障害検出装置において、
前記通信経路の障害検出装置は、前記第１のノードに設けられ、
前記送信周期決定部または前記時間決定部は、それぞれ、前記第１のノードの負荷に応じて、前記送信周期または前記待ち時間を決定する
通信経路の障害検出装置。
【請求項４】
請求項１から３のいずれか１項に記載の通信経路の障害検出装置において、
更に、
外部の端末から前記送信周期を示す指示信号を入力する入力部を備え、
前記送信周期決定部は、前記監視対象経路の負荷に応じて、前記指示信号にて示される前記送信周期を再設定する
通信経路の障害検出装置。
【請求項５】
請求項２または３に記載の通信経路の障害検出装置において、
更に、
外部の端末から前記待ち時間を示す指示信号を入力する入力部を備え、
前記時間決定部は、前記監視対象経路の負荷に応じて、前記指示信号にて示される前記待ち時間を再設定する
通信経路の障害検出装置。
【請求項６】
請求項４または５に記載の通信経路の障害検出装置において、
前記通信経路の障害検出装置は、前記第１のノードに設けられ、
前記送信周期決定部または前記時間決定部は、それぞれ、前記第１のノードの負荷に応じて、前記指示信号にて示される前記送信周期または前記待ち時間を再設定する
通信経路の障害検出装置。
【請求項７】
請求項１から６のいずれか１項に記載の通信経路の障害検出装置において、
前記通信データは、パケットデータであり、
前記通信経路は、ＩＰ（Ｉｎｔｅｒｎｅｔ　Ｐｒｏｔｏｃａｌ）ルーティングを用いるＩＰパケット網の一部である
通信経路の障害検出装置。
【請求項８】
通信データを送受信する第１及び第２のノード間の第１及び第２の通信経路の中から最適な通信経路を選択する通信経路の選択装置であって、
前記第１及び第２の通信経路のそれぞれに監視信号を送信し、前記第１及び第２の通信経路のそれぞれを介して前記監視信号に対する応答信号を受信するまでの時間を検出する時間検出部と、
前記第１及び第２の通信経路のそれぞれについての前記時間に基づいて、前記最適な通信経路を選択する経路選択部と
を備えた通信経路の選択装置。
【請求項９】
請求項８記載の通信経路の選択装置において、
前記経路選択部は、更に、前記第１及び第２の通信経路のそれぞれの負荷状況に基づいて、前記最適な通信経路を選択する
通信経路の選択装置。
【請求項１０】
請求項８または９に記載の通信経路の選択装置において、
前記通信データは、パケットデータであり、
前記通信経路は、ＩＰ（Ｉｎｔｅｒｎｅｔ　Ｐｒｏｔｏｃａｌ）ルーティングを用いるＩＰパケット網の一部である
通信経路の選択装置。
【請求項１１】
通信データを送受信する第１及び第２のノード間の複数の通信経路のうちの監視対象経路の障害を検出する通信経路の障害検出方法であって、
（ａ）　前記監視対象経路に監視信号を送信するときの送信周期を指示する指示信号を入力するステップと、
（ｂ）　前記監視対象経路の負荷に応じて、前記指示信号にて示される前記送信周期を再設定するステップと、
（ｃ）　前記監視対象経路に前記監視信号を送信するステップと、
（ｄ）　前記（ｃ）が実行されてから待ち時間が経過する以前に前記監視信号に対する応答信号を前記監視対象経路を介して受信するか否かを判定するステップと、
（ｅ）　前記（ｄ）の結果、前記応答信号を受信したときに、前記応答信号を受信する前に前記監視対象経路に障害が検出されていれば前記監視対象経路の障害の復旧を検出するステップと、
（ｆ）　前記（ｄ）の結果、前記応答信号を受信したときに、不良回数を初期化するステップと、
（ｇ）　前記（ｄ）の結果、前記応答信号を受信しないときに、前記不良回数をインクリメントするステップと、
（ｈ）　前記不良回数が設定回数を超えているか否かを判断するステップと、
（ｉ）　前記（ｈ）の結果、前記不良回数が前記設定回数を超えていれば、前記監視対象経路に前記障害があると検出するステップと、
（ｊ）　前記再設定された送信周期が経過したときに、前記（ｃ）を実行するステップと
を備えた通信経路の障害検出方法。
【請求項１２】
請求項１１記載の通信経路の障害検出方法において、
前記（ａ）にて入力される前記指示信号では、前記待ち時間が指示され、
前記（ｂ）では、前記監視対象経路の負荷に応じて、前記指示信号にて示される前記待ち時間が再設定され、
前記（ｄ）では、前記待ち時間として前記再設定された待ち時間が使用される
通信経路の障害検出方法。
【請求項１３】
請求項１１または１２に記載の通信経路の障害検出方法において、
前記（ｂ）では、前記第１のノードの負荷に応じて、前記指示信号にて示される前記送信周期または前記待ち時間が再設定される
通信経路の障害検出方法。
【発明の詳細な説明】
【０００１】
【発明の属する技術分野】
本発明は、通信経路の障害検出装置および方法、通信経路の選択装置に関する。
【０００２】
【従来の技術】
パケット交換ノード間のパケット送受信においてＩＰ（Ｉｎｔｅｒｎｅｔ　Ｐｒｏｔｏｃｏｌ）ルーティングを用いるＩＰパケット網では、さまざまな負荷条件を想定し、複数のルートを設ける（冗長構成）ことが一般的である。このような構成では、隣接ノードの障害により別のルートに即座に切り替えるための自動検出を目的とした通信経路常時監視機能が必要である。
【０００３】
この常時監視機能は、即時性を求めると監視のためのパケットがプロセッサやネットワークへ高負荷を与えかねない。
そのため、負荷を抑えたパケット通信サービスを提供する必要が生じている。
【０００４】
特開２００１−１１１５５０号公報には、ネットワークを介して複数の通信装置と該ネットワークを管理する管理装置とからなるネットワーク管理システムにおいて、前記管理装置は、前記通信装置からの状態情報の報告に基づいて該通信装置からの報告間隔を抑制するように制御することを特徴とするネットワーク管理システムが開示されている。
【０００５】
特開平３−２３７５０号公報には、次の障害検出方式が開示されている。その障害検出方式は、障害情報を含む情報を受け、該受けた情報の中から障害情報を検出・認識する障害検出方式において、該方式は、前記情報を受け、該情報の中から障害情報を検出する障害検出手段と、該障害検出手段を監視することにより、該障害検出手段で検出された障害を認識する制御手段とを有し、前記制御手段は、該障害検出方式が適用された装置が行う制御処理過程に対応して、前記障害検出手段を監視する監視周期を複数有することを特徴とするものである。
【０００６】
特開平７−１８３８９１号公報には、次の計算機システムが開示されている。その計算機システムは、（ａ）所定の処理を実行するとともに、その処理の実行中に障害の発生の有無を検出し検出信号として送信する被検ソフトウェア、（ｂ）上記被検ソフトウェアからの検出信号を受信して、被検ソフトウェアの障害を検出する障害検出ソフトウェアを有する計算機システムにおいて、上記被検ソフトウェア及び障害検出ソフトウェアは、それぞれシステムの負荷を検出する負荷検出部を備え、負荷検出部により検出したシステムの負荷に応じて検出信号の送受信間隔を調整することを特徴とする。
【０００７】
特開平８−３０７４１８号公報には、次の分散処理システムの監視方法が開示されている。その分散処理システムの監視方法は、ネットワークを介して結合された複数の装置から構成される分散処理システム内の一の監視装置から複数の被監視装置に対する状態監視行動を全ての被監視装置に対する監視行動の実行間隔時間により制御する分散処理システムの監視方法において、通常の監視実行間隔以外にその長さが異なる異常時の監視実行間隔を有し、全ての被監視装置に対する監視行動をこれら２種類の監視実行間隔で実行する群に分類し、ある被監視装置に対する監視行動を、前回実行された監視行動の結果が正常である場合には前記通常の監視実行間隔で監視する群に変化させ、前回実行された監視行動の結果が異常である場合には前記異常時の監視実行間隔で監視する群に変化させることを特徴とする。
【０００８】
【特許文献１】
特開平７−１８３８９１号公報（図１）
【特許文献２】
特開２００１−１１１５５０号公報（図１）
【特許文献３】
特開平３−２３７５０号公報（図１）
【特許文献４】
特開平８−３０７４１８号公報（図１）
【０００９】
【発明が解決しようとする課題】
本発明の目的は、通信経路の障害を検出するに際して、プロセッサ又はネットワークに高負荷を与えることを防止でき、負荷を抑えたパケット通信サービスを提供できる通信経路の障害検出装置及び方法を提供することである。
本発明の他の目的は、最適な通信経路の選択に際して、プロセッサ又はネットワークに高負荷を与えることを防止でき、負荷を抑えたパケット通信サービスを提供できる通信経路の選択装置を提供することである。
【００１０】
【課題を解決するための手段】
以下に、［発明の実施の形態］で使用する番号・符号を用いて、［課題を解決するための手段］を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１１】
本発明の通信経路の障害検出装置は、通信データを送受信する第１及び第２のノード（３０、４０）間の複数の通信経路（１０、２０）のうちの監視対象経路（１０、２０）の障害を検出する通信経路の障害検出装置（３０）であって、前記監視対象経路（１０、２０）に監視信号（１２）を送信し、前記監視対象経路（１０、２０）を介して受信した前記監視信号（１２）に対する応答信号（１３）に基づいて、前記監視対象経路（１０、２０）の障害を検出する障害検出部（２）と、前記監視対象経路（１０、２０）の負荷に応じて、前記監視信号（１２）の送信周期を決定する送信周期決定部（２）とを備えている。
【００１２】
本発明の障害検出装置（３０）において、更に、前記監視対象経路（１０、２０）の負荷に応じて、前記応答信号（１３）の受信を待つ待ち時間を決定する時間決定部（２）を備えている。
【００１３】
本発明の通信経路の障害検出装置（３０）において、前記通信経路の障害検出装置（３０）は、前記第１のノード（３０）に設けられ、前記送信周期決定部（２）または前記時間決定部（２）は、それぞれ、前記第１のノード（３０）の負荷に応じて、前記送信周期または前記待ち時間を決定する。
【００１４】
本発明の通信経路の障害検出装置（３０）において、更に、外部の端末（Ｂ）から前記送信周期を示す指示信号（１１）を入力する入力部（１）を備え、前記送信周期決定部（２）は、前記監視対象経路（１０、２０）の負荷に応じて、前記指示信号（１１）にて示される前記送信周期を再設定する。
【００１５】
本発明の通信経路の障害検出装置（３０）において、更に、外部の端末（Ｂ）から前記待ち時間を示す指示信号（１１）を入力する入力部（１）を備え、前記時間決定部（２）は、前記監視対象経路（１０、２０）の負荷に応じて、前記指示信号（１１）にて示される前記待ち時間を再設定する。
【００１６】
本発明の通信経路の障害検出装置（３０）において、前記通信経路の障害検出装置（３０）は、前記第１のノード（３０）に設けられ、前記送信周期決定部（２）または前記時間決定部（２）は、それぞれ、前記第１のノード（３０）の負荷に応じて、前記指示信号（１１）にて示される前記送信周期または前記待ち時間を再設定する。
【００１７】
本発明の通信経路の障害検出装置（３０）において、前記通信データは、パケットデータであり、前記通信経路（１０、２０）は、ＩＰ（Ｉｎｔｅｒｎｅｔ　Ｐｒｏｔｏｃａｌ）ルーティングを用いるＩＰパケット網の一部である。
【００１８】
本発明の通信経路の選択装置は、通信データを送受信する第１及び第２のノード（３０、４０）間の第１及び第２の通信経路（１０、２０）の中から最適な通信経路（１０、２０）を選択する通信経路の選択装置（３０）であって、前記第１及び第２の通信経路（１０、２０）のそれぞれに監視信号（１２）を送信し、前記第１及び第２の通信経路（１０、２０）のそれぞれを介して前記監視信号（１２）に対する応答信号（１３）を受信するまでの時間を検出する時間検出部（２）と、前記第１及び第２の通信経路（１０、２０）のそれぞれについての前記時間に基づいて、前記最適な通信経路（１０、２０）を選択する経路選択部とを備えている。
【００１９】
本発明の通信経路の選択装置（３０）において、前記経路選択部は、更に、前記第１及び第２の通信経路（１０、２０）のそれぞれの負荷状況に基づいて、前記最適な通信経路（１０、２０）を選択する。
【００２０】
本発明の通信経路の選択装置（３０）において、前記通信データは、パケットデータであり、前記通信経路（１０、２０）は、ＩＰ（Ｉｎｔｅｒｎｅｔ　Ｐｒｏｔｏｃａｌ）ルーティングを用いるＩＰパケット網の一部である。
【００２１】
本発明の通信経路の障害検出方法は、通信データを送受信する第１及び第２のノード（３０、４０）間の複数の通信経路（１０、２０）のうちの監視対象経路（１０、２０）の障害を検出する通信経路の障害検出方法であって、（ａ）　前記監視対象経路（１０、２０）に監視信号（１２）を送信するときの送信周期を指示する指示信号（１１）を入力するステップ（Ｓ１）と、（ｂ）　前記監視対象経路（１０、２０）の負荷に応じて、前記指示信号（１１）にて示される前記送信周期を再設定するステップと、（ｃ）　前記監視対象経路（１０、２０）に前記監視信号（１２）を送信するステップ（Ｓ４）と、（ｄ）　前記（ｃ）が実行されてから待ち時間が経過する以前に前記監視信号（１２）に対する応答信号（１３）を前記監視対象経路（１０、２０）を介して受信するか否かを判定するステップ（Ｓ５）と、（ｅ）　前記（ｄ）の結果、前記応答信号（１３）を受信したときに、前記応答信号（１３）を受信する前に前記監視対象経路（１０、２０）に障害が検出されていれば前記監視対象経路（１０、２０）の障害の復旧を検出するステップと、（ｆ）　前記（ｄ）の結果、前記応答信号（１３）を受信したときに、不良回数を初期化するステップ（Ｓ９）と、（ｇ）　前記（ｄ）の結果、前記応答信号（１３）を受信しないときに、前記不良回数をインクリメントするステップ（Ｓ６）と、（ｈ）　前記不良回数が設定回数を超えているか否かを判断するステップ（Ｓ２）と、（ｉ）　前記（ｈ）の結果、前記不良回数が前記設定回数を超えていれば、前記監視対象経路（１０、２０）に前記障害があると検出するステップ（Ｓ３）と、（ｊ）　前記再設定された送信周期が経過したときに、前記（ｃ）を実行するステップとを備えている。
【００２２】
本発明の通信経路の障害検出方法において、前記（ａ）にて入力される前記指示信号（１１）では、前記待ち時間が指示され（Ｓ１）、前記（ｂ）では、前記監視対象経路（１０、２０）の負荷に応じて、前記指示信号（１１）にて示される前記待ち時間が再設定され、前記（ｄ）では、前記待ち時間として前記再設定された待ち時間が使用される。
【００２３】
本発明の通信経路の障害検出方法において、前記（ｂ）では、前記第１のノード（３０）の負荷に応じて、前記指示信号（１１）にて示される前記送信周期または前記待ち時間が再設定される。
【００２４】
【発明の実施の形態】
以下、添付図面を参照して、本発明の通信経路の障害検出装置の一の実施形態について説明する。
【００２５】
本実施形態は、パケット交換網において、パケット交換ノードやパケット交換網に負荷を与えずに、隣接するノードへの通信経路の障害を検出するための周期監視機能を提供する。
【００２６】
周期監視機能は、一般的に交換ノードやネットワークへの負荷を上げてしまうことによる処理能力の低下が危惧される。この点、本実施形態では、トラフィックデータ（ノードの負荷状況や対象経路へのパケット送出量）に応じて負荷が高い状態と判断される時は、周期処理（監視信号（パケット到達確認信号）の送信周期）の間隔、応答信号の待ち時間を延ばす監視条件の自動再設定を行い、パケット通信サービスへの影響を低減（パケット呼の呼損低減）した経路監視を実施する。
【００２７】
図１（ａ）、（ｂ）に示すように、交換ノードＡ３０及び交換ノードＣ４０のそれぞれは、ＩＰ（Ｉｎｔｅｒｎｅｔ　Ｐｒｏｔｏｃｏｌ）ルーティングを用いたＩＰパケット網におけるパケット交換ノードであり、パケット通信サービスを提供する。
【００２８】
交換ノードＡ３０と交換ノードＣ４０との間には、複数の通信経路１０、２０が設けられている（冗長構成）。通信経路１０は、ノードＡ３０から対向ノードＣ４０への通信において、中継ノードＡ１を使用する経路である。通信経路２０は、ノードＡ３０から対向ノードＣ４０への通信において、中継ノードＡ２を使用する経路である。
【００２９】
保守端末Ｂは、ノードＡ３０に対して、保守コマンドの入力が可能である。保守端末ＢからノードＡ３０に対して送られる保守コマンドには、障害監視データ１１（図２のステップＳ１参照）が含まれる。
【００３０】
ノードＡ３０は、経路監視制御部１と、経路監視実行部２と、パケット通信サービス制御部３と、信号送受信制御部４とを備えている。経路監視制御部１は、保守端末Ｂと接続している。信号送受信制御部４は、通信経路１０及び通信経路２０と接続している。
【００３１】
経路監視制御部１は、保守端末Ｂから障害監視データ１１を入力する。経路監視制御部１は、障害監視データ１１の入力内容の正当性をチェックし、正当であれば障害監視データ１１に基づいて、経路監視制御部２に経路監視の実行を要求する。また、経路監視制御部１は、通信経路に障害が発生した旨又は障害が復旧した旨を受信した時に、パケット通信サービス制御部３にその旨の報告を行うとともに、保守端末Ｂにその旨を示す警告を出力する。
【００３２】
障害監視データ１１には、監視対象通信経路１０または２０を示すデータと、パケット到達確認信号１２（図２のステップＳ４参照）の送信周期を示すデータと、パケット到達確認信号１２に対する応答信号１３（図２のステップＳ５参照）の受信待ち時間を示すデータと、経路障害判定回数（応答信号１３の待ち時間のタイムアウト許容数）を示すデータとが含まれる。
【００３３】
経路監視実行部２は、上記のように経路監視制御部１から経路監視が要求されると、通信経路監視機能を実行し、通信経路の障害または障害復旧を検出し、その検出結果を経路監視制御部１に報告する。
【００３４】
また、経路監視実行部２は、経路監視制御部１から経路監視要求を受けたときに入力した障害監視データ１１に示される各監視条件が妥当であるか否かを検討する。すなわち、経路監視実行部２は、トラフィックデータ（ノードＡ３０の負荷状況や、対象経路１０または２０へのパケット送出量）に応じて、保守端末Ｂから入力された障害監視データ１１の各監視条件を再設定する。具体的には、経路監視実行部２は、ノードＡ３０または監視対象経路１０もしくは２０の負荷が高いと判断した場合には、パケット到達確認信号１２の送信周期及び／又は応答信号１３の受信待ち時間を延ばすように、監視条件を再設定する。
【００３５】
信号送受信制御部４は、経路監視実行部２からパケット到達確認信号１２の送信要求を受けて、パケット到達確認信号１２を監視対象の通信経路１０または２０に送信し、その通信経路１０または２０からのパケット到達確認信号１２に対する応答信号１３を受信した時に経路監視実行部２にその受信した旨を報告する。
【００３６】
パケット通信サービス制御部３は、経路監視実行部２により検出された通信経路１０または２０の障害発生または障害復旧を示す情報を経路監視制御部１を通して受信し、パケット通信サービスにおける経路選択処理へ反映させる。
【００３７】
図１および図２を参照して、本実施形態の動作について説明する。
【００３８】
ノードＡ３０は、保守端末Ｂから保守コマンドを入力する。これにより、ノードＡ３０には、保守端末Ｂから障害監視データ１１が入力される（図２のステップＳ１）。
【００３９】
ステップＳ１が行われると、経路監視制御部１は、障害監視データ１１に基づいて、経路監視実行部２に対して、対向ノードＣへの通信経路１０、２０における障害の有無及び障害復旧の有無の監視の実行を要求する。
【００４０】
その実行要求に応答して、経路監視実行部２は、ＩＰ（Ｉｎｔｅｒｎｅｔ　Ｐｒｏｔｏｃｏｌ）のネットワーク通信経路到達確認用のパケット（パケット到達確認信号１２）を作成し、障害監視データ１１によって指定された上記監視対象通信経路（通信経路１０または通信経路２０）へ、信号送受信制御部４を通して送信を行う（ステップＳ４）。
【００４１】
この場合、経路監視実行部２は、障害監視データ１１により指定されたパケット到達確認信号１２の送信周期および応答信号１３の受信待ち時間をベースとして、運用時のトラフィックデータ（ノードＡ３０の負荷状況や、対象経路１０または２０へのパケット送出量）に基づくノードＡ３０や通信経路１０または２０の負荷状況に応じた柔軟な監視条件を再設定する。すなわち、経路監視実行部２は、トラフィックデータに基づいて、ノードＡ３０または監視対象経路１０もしくは２０の負荷が高いと判断した場合には、パケット到達確認信号１２の送信周期及び／又は応答信号１３の受信待ち時間を延ばすように、監視条件を再設定する。そして、以下のステップＳ４、Ｓ１０のパケット到達確認信号１２の送信周期及びステップＳ５での応答信号１３の受信待ち時間は、その再設定された内容で実行する。
【００４２】
パケット到達確認信号１２が監視対象通信経路１０または２０に送信されると、そのパケット到達確認信号１２に対する応答信号１３の受信待ち時間を計測するタイマーと、パケット到達確認信号１２の送信周期を計測する周期起動タイマーがスタートされる（ステップＳ４）。
【００４３】
経路監視実行部２は、障害監視データ１１で指定された又は再設定された応答信号１３の受信待ち時間内に、パケット到達確認を示す応答パケット（応答信号１３）を信号送受信制御部４を通して受信できた場合（ステップＳ５−Ｙ）は、監視対象の経路１０または２０が有効とみなす。
【００４４】
この時、その監視対象の経路１０または２０に既に障害が発生中であった場合（ステップＳ７−Ｙ）には、その経路の障害が復旧したことを検出し（ステップＳ８）、これまでの監視情報ＮＧ回数１４を初期化する（ステップＳ９）。
【００４５】
その後、次のパケット到達確認信号１２の送信の為の周期起動タイマーのタイムアウト（ステップＳ１０）時に、次の監視処理を実行する。
【００４６】
一方、応答信号１３の受信待ち時間内に応答パケット１３を受信できなかった場合（ステップＳ５−Ｎ）は、その監視経路１０または２０にＮＧ（不良）が発生とし、該当監視経路の監視情報ＮＧ回数１４をインクリメントする（ステップＳ６）。
【００４７】
この監視情報ＮＧ回数１４の値が障害監視データ１１で指定された上記経路障害判定回数を上回った場合（ステップＳ２−Ｙ）には、その監視経路は通信不可状態（障害検出）とし（ステップＳ３）、経路監視実行部２は、その旨を経路監視制御部１に通知する。
【００４８】
経路監視制御部１は、その監視経路に障害が検出されパケット通信サービスにおいてその監視経路が利用不可である旨を、パケット通信サービス制御部３に通知する。
【００４９】
さらに、経路障害の検出（ステップＳ３）後も経路監視実行部２は、パケット到達確認信号１２の送信周期に従い、信号送受信制御部４を通して継続してその監視対象経路へパケット到達確認信号１２を送信し続け（ステップＳ４）、その後、該当経路の障害が復旧した際は、信号送受信制御部４を通して応答パケット１３を受信する（ステップＳ５−Ｙ）ことで、監視経路のパケット到達確認（障害復旧）を検出し（ステップＳ８）、その旨を経路監視制御部１に通知する。
【００５０】
経路監視制御部１は、その監視経路の障害復旧が検出されパケット通信サービスにおいてその監視経路を使用したパケット通信が可能になった旨を、パケット通信サービス制御部３に通知する。パケット通信サービス制御部３は、その通知を受けて、その監視経路をパケット通信サービスにおける経路選択対象に再組み込みする。
【００５１】
次に、本実施形態の効果について説明する。
【００５２】
周期監視処理は、従来より、交換ノードやネットワークへの負荷が高いことより、処理能力の低下が危惧されていたが、本実施形態では、トラフィックデータ（ノードの負荷状況や対象経路のパケット送出量）に応じて、負荷が高い状態と判断される時は、周期処理（監視信号１２の送信周期）の間隔、応答信号１３の待ち時間を延ばす監視条件の自動再設定を行い、パケット通信サービスへの影響を低減した経路監視を実現できる。
本機能を用いた通信経路障害時の障害検知を行うことにより、パケット通信サービスのサービス低下の低減を図れる。
【００５３】
次に、図３を参照して、本発明の通信経路の選択装置の一実施形態について説明する。
図３において、上述した実施形態と同じ構成要素については同じ符号を付してその詳細な説明を省略する。
【００５４】
図３に示すように、隣接ノードＣへの通信経路（通信経路１０、通信経路２０）が複数存在する場合、経路監視実行部２は、周期的に信号送受信制御部４を通してそれら通信経路１０、通信経路２０を使用し、対向ノードＣへの監視信号１２を送信し、各ノードからの応答信号１３を受信した時に信号送受信制御部４より応答受信の報告を受ける。
【００５５】
経路監視実行部２は、上記において、監視信号１２の送信から応答信号１３の受信までの時間を経路選択処理部５へ通知する。
【００５６】
経路選択処理部５は、監視信号１２の送信から応答信号１３の受信までの計測時間およびパケット通信サービス制御部３からのパケット通信サービスにおける各経路１０、２０の使用状況に基づいて各経路１０、２０の情報転送能力および負荷状況を周期的に計測する。経路選択処理部５は、その計測結果を経路選択処理に反映することで、レスポンスの悪い経路へのパケット通信サービスの割り当て数の調整および迂回を行う。これにより、最適なパケット通信経路を選択する効率的なサービスが提供できる。
【００５７】
なお、経路選択処理部５は、監視信号１２の送信から応答信号１３の受信までの計測時間に基づいて各経路１０、２０の情報転送能力を周期的に計測し、その計測結果を経路選択処理に反映することができる。
【００５８】
【発明の効果】
本発明によれば、通信経路の障害を検出するに際して、ネットワークに高負荷を与えることを防止できる。
【図面の簡単な説明】
【図１】図１（ａ）は、本発明である通信経路の障害検出装置の一の実施の形態の構成を示すブロック図であり、図１（ｂ）は、本実施形態が適用される通信経路を示すブロック図である。
【図２】本発明である通信経路の障害検出装置の一の実施の形態の動作を示すフローチャートである。
【図３】本発明である通信経路の選択装置の実施の形態の構成を示すブロック図である。
【符号の説明】
１　経路監視制御部
２　経路監視実行部
３　パケット通信サービス制御部
４　信号送受信制御部
１０　通信経路
１１　障害監視データ
１２　パケット到達確認信号
１３　応答信号
１４　監視情報ＮＧ回数
２０　通信経路
３０　交換ノードＡ
４０　交換ノードＣ
Ｂ　保守端末
【図１】
2004134966.tif 000003
【図２】
2004134966.tif 000004
【図３】
2004134966.tif 000005